(57)【要約】【課題】操作表示部を備えた冷蔵庫の扉に関し、外観の見栄えが向上し、組立て性、サービス性、安全性に優れた冷蔵庫の扉を提供する。【解決手段】外板４２と、左右蓋体４３，４４と、下部蓋体４５と、内板４６により構成された冷蔵庫の扉において、左右蓋体４３，４４と、下部蓋体４５を連続して形成することで、作業性、組立性の向上を図る。また、左右蓋体４３，４４と冷蔵庫に関する情報を表示し、冷蔵庫に対する制御内容を操作する操作表示部４１を連続して形成することで外観の見栄えが向上する。【選択図】　図２
2004084988.tif 000002
【特許請求の範囲】
【請求項１】
外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記操作表示部と前記左蓋体とが連続して形成する扉を有する冷蔵庫。
【請求項２】
外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記下部蓋体と前記左蓋体とが連続して形成する扉を有する冷蔵庫。
【請求項３】
外板と、内板と、前記外板と前記内板の間に封入した断熱材と、左蓋体と、右蓋体と、下部蓋体と、ヒンジピン挿入用筒と、ヒンジ補強板とよりなり、外板とヒンジ補強板とが固定部材で固定され、前記ヒンジ補強板に空けられた穴部に前記ヒンジピン挿入用筒を通した扉を有する冷蔵庫。
【請求項４】
操作表示部の表示カバーは、ハンドルを支持するハンドルベースにより下部蓋体に着脱可能に固定したことを特徴とする請求項１に記載の冷蔵庫。
【請求項５】
操作部のボタンの動作を中継するボタン中継部品と表示部の液晶パネルを支える液晶ホルダーとを有し、前記ボタン中継部品と前記液晶ホルダーを一体に形成したことを特徴とする請求項１または２に記載の冷蔵庫。
【請求項６】
外板と、内板と、前記外板と前記内板の間に封入した断熱材と、左蓋体と、右蓋体と、下部蓋体と、ハンドル取付け補強板よりなり、ハンドル取付け用補強板にヒンジピン挿入用の穴を設け、ヒンジピンを通すことにより下ヒンジの補強機能を持たせた扉を有する冷蔵庫。
【発明の詳細な説明】
【０００１】
【発明の属する技術分野】
本発明は、操作表示部を備えた冷蔵庫の扉に関するものである。
【０００２】
【従来の技術】
近年、扉表面に冷蔵庫の温度等を操作する操作部分を取付けた冷蔵庫の従来例として、例えば特開２００２−３１４７１号公報に示されているものが提案されている。
【０００３】
以下、図面を参照しながら上記従来の冷蔵庫を説明する。
【０００４】
図７は従来例を示す冷蔵庫の正面図である。図８は、図７のＡ−Ａ断面図である。図９は操作表示部の分解斜視図である。図１０は、図７のＢ−Ｂ断面図である。
【０００５】
図７、８，９，１０において、１は冷蔵庫本体であり、上段から２は冷蔵室、３は野菜室、４は室内温度切替えが可能な切替え室、５は冷凍室、６は製氷室である。
【０００６】
７はヒンジ式の開閉可能な冷蔵室扉で、野菜室３、切替え室４、冷凍室５、製氷室６の前面には引出し扉８、９、１０、１１が設けられている。１２は冷蔵室２の扉７に設けられたハンドルである。１３はハンドル１２の高さ方向上方に設けられた操作表示部である。１４は鋼板性の外板で、１５と、１６は外板１４の上下両端部に嵌め込まれた蓋体である。１７は外板１４の後方に配される内板である。１８は外板１４、蓋体１５、１６、内板１７の間に充填され一体発泡された断熱材である。
【０００７】
１９は外板１４に形成された楕円部であり、２０は楕円部１９の一部に形成された折り曲げ部である。２１は楕円部１９の円縁部に形成された平面部である。２２は樹脂で形成され、外板１４の裏面から係合し断熱材１８と一体発泡される収納部である。２３は収納部２２に一体に成形されたリブである。２５は折り曲げ部２０を固定するための固形溝である。２６は基板で、２７はボタン押圧部で２８は表示カバーである。
【０００８】
【発明が解決しようとする課題】
しかしながら、上記従来の冷蔵庫の扉の構成は、外板と、上部蓋体と下部蓋体と、基板収納部と、表示カバーより構成されるが、左右に蓋体を有し、操作表示部を下端に配置した冷蔵庫の扉の具体的な取付け構造は提案されていない。また、上記従来の技術を基本に、左右に蓋体を有し、操作表示部を下端に配置した冷蔵庫の扉を構成した場合、基板収納部の取付けが複雑になり、組立て性は低下し、また液晶操作部のサービス交換時に、表示カバーを傷つける恐れがある。また、前記外板と蓋体が外れる方向に力が加わるためにドア落下へとつながる危険性がある。
【０００９】
本発明は上記従来の課題を解決するもので、操作表示部を扉に備えたものにおいて、外観の見栄えが向上し、組立て性、サービス性、安全性に優れた扉を有する冷蔵庫を提供することを目的とする。
【００１０】
【課題を解決するための手段】
本発明の請求項１に記載の発明は、外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記操作表示部と前記左蓋体とが連続して形成するものであり、前記表示カバーは左右蓋体の近傍から冷蔵庫中央部に向かってラウンド形状を形成したり、また前記表示カバーは外板の近傍から下端に向かってラウンド形状を有することが可能となり、前記右蓋体と、左蓋体と、外板と、表示カバーとが違和感なく一体感を持って形成され、外観の見栄えが向上する。
【００１１】
請求項２に記載の発明は、外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記下部蓋体と前記左蓋体とが連続して形成することにより、部品組立て時の外れが無くなり作業性の向上をはかれる。また、下部蓋体により表示カバーを固定するため部品間の隙間を極力小さくすることが可能である。また、基板収納スペースを有した下部蓋体は左右の端部まで形成されるので、右開き扉、左開き扉のどちらでも、外板、下部蓋体の金型の共用化が図れる。また、右蓋体と下部蓋体と左蓋体とが連続して形成することにより操作表示部への断熱材封入時の洩れを防止できる。
【００１２】
請求項３に記載の発明は、外板と、内板と、前記外板と前記内板の間に封入した断熱材と、左蓋体と、右蓋体と、下部蓋体と、ヒンジピン挿入用筒と、ヒンジ補強板とよりなり、外板とヒンジ補強板とが固定部材により固定され、前記ヒンジ補強板に空けられた穴部に前記ヒンジピン挿入用筒を通しているものであり、ドア荷重時に前記外板と、前記右蓋体とが剥離すること無く、ドア落下の危険を無くすことが可能となる。
【００１３】
請求項４に記載の発明は、請求項１に記載の発明において、操作表示部の表示カバーは、ハンドルを支持するハンドルベースにより下部蓋体に着脱可能に固定したものであり、操作基板のサービス交換時に表示カバーを傷付けること無く取り外すことができる。
【００１４】
請求項５に記載の発明は、請求項１または２に記載の発明において、操作部のボタンの動作を中継するボタン中継部品と表示部の液晶パネルを支える液晶ホルダーとを有し、前記ボタン中継部品と前記液晶ホルダーを一体に形成したものであり、構成部品点数の削減が可能となる。
【００１５】
請求項６に記載の発明は、外板と、内板と、前記外板と前記内板の間に封入した断熱材と、左蓋体と、右蓋体と、下部蓋体と、ハンドル取付け補強板よりなり、ハンドル取付け用補強板にヒンジピン挿入用の穴を設け、ヒンジピンを通すことにより下ヒンジの補強機能を持たせたものであり、ハンドル補強板にヒンジ挿入用の穴を空け、ヒンジを通すことによりドア落下防止機能を果たすことが可能となる。
【００１６】
【発明の実施の形態】
以下、本発明による冷蔵庫の実施の形態について、図面を参照しながら説明する。
【００１７】
（実施の形態１）
図１は、本発明の実施の形態１による冷蔵庫の正面斜視図である。図２は、同実施の形態の冷蔵庫の分解斜視図である。図３は、図１のＣ−Ｃ断面図である。図４は、図１のＤ−Ｄ断面図である。図５は、同実施の形態の冷蔵庫の操作表示部の裏面斜視分解図である。図６は、図１のＥ−Ｅ断面図である。
【００１８】
２９は冷蔵庫本体で、上段から冷蔵室３０、野菜室３１、庫内温度の切り替えが可能な切替室３２、冷凍室３３が備えられ、切替室３２の左側には製氷室３４が設けられている。
【００１９】
冷蔵室３０にはヒンジ式の開閉可能な冷蔵室扉３５が設けられ、野菜室３１、切替室３２、冷凍室３３、製氷室３４の前面には引出し式扉３６、３７，３８，３９が設けられている。
【００２０】
また、４０は冷蔵室３０の扉３５に設けられたハンドルである。４１はハンドル４０の同高さ方向に設けられた操作表示部である。
【００２１】
冷蔵室３０の扉３５の構造について説明する。
【００２２】
扉３５は鋼鈑製の外板４２と、外板４２の左右両端部に嵌め込まれた蓋体４３、４４と、下部蓋体４５と、外板４２の後方に配される内板４６とよりなる。組立て順序としては、まず外板４２と左右蓋体４３、４４が組み立てられる。そして、外板４２は下端でＬの字曲げ部４７が設けられ、下部蓋体４５には外板４２を挿入するための溝４８が設けれ、前記Ｌの字曲げ部４７に挿入される。左右蓋体４３、４４には凸部４９が設けられ、下部蓋体４５には溝５０が設けられ前記凸部４９に挿入される。５１は下部蓋体４５に形成された爪であり、５２は左右蓋体に形成されたリブであり、下部蓋体４５を挿入する際下部蓋体４５の爪５１が左右蓋体４３，４４のリブ５２にかかることにより固定される。
【００２３】
また、５３は、ハンドル４０のハンドル取付け用補強板であり、下部蓋体４５に組込み後、テープと下ヒンジピン挿入用筒５４を挿入するヒンジピン挿入用の穴に下ヒンジピン挿入用筒５４を挿入、固定される。
【００２４】
また、５５は上ヒンジ補強板である。上ヒンジ補強板５５には上ヒンジピン挿入用筒５５ａの挿入用穴５５ｂが空けられており、蓋体４３にも上ヒンジピン挿入用穴５５ｃが空けられ、上ヒンジピン挿入用筒５５ａを挿入することにより補強板５５を蓋体４３に完全に固定している。また、補強板５５の片側はネジにより外板４２に完全に固定されている。
【００２５】
次に操作表示部４１について説明する。
【００２６】
操作表示部４１は基板５６と、樹脂で成形された基板ホルダー５７と、液晶ホルダー５８と、液晶パネル５９と、操作ボタン６０と、レンズ６１と、ボタンカバー６２と、表示カバー６３より構成されている。
【００２７】
基板５６には液晶パネル５９と、液晶ホルダー５８より構成された表示部６４がネジにより固定されている。また、基板５６は基板ホルダー５７にネジで固定され、基板組立て品６５を形成している。
【００２８】
表示カバー６３の背面には溝部６６が形成され、操作ボタン６０には凸部６７が形成されている。前記操作ボタン６０の凸部６７を前記溝部６６に挿入し、レンズ６１を表示カバー６３にツメで固定されることにより、表示カバー組立て品６８が形成される。
【００２９】
液晶ホルダー５８の左右両端にはリブ６９が設けられ、表示カバー６３には二本のリブ７０の両方に形成されたガイドリブ７１が設けられている。操作表示部４１は基板組立て品６５のリブ６９を表示カバー組立て品のガイドリブ７１に沿わしながら挿入して形成される。
【００３０】
下部蓋体４５には穴部７２が上下に等間隔に設けられ、表示カバー６３には爪７３が等間隔に設けられている。操作表示部４１は爪７３を下部蓋体４５の穴部７２に引掛け、基板ホルダー５７と下部蓋体４５はネジにより固定されている。
【００３１】
また、ハンドル４０はハンドルベース４０ａとハンドル化粧板４０ｂからなり、表示カバー６３はハンドル４０を支持するハンドルベース４０ａにより下部蓋体４５に着脱可能にビスで固定され、その前面からハンドル化粧板４０ｂをツメで固定されている。
【００３２】
また、液晶ホルダー５８と一体にボタン中継部品５８ａを有し、操作ボタン６０での動作を基板５６上の基板ボタン５６ａに伝えるものである。
【００３３】
上記構成により、右蓋体４３と操作表示部４１と左蓋体４４とが連続して形成しているので、表示カバー６３は左右蓋体の近傍から冷蔵庫中央部に向かってラウンド形状を形成したり、また表示カバー６３を外板４２の近傍から下端に向かってラウンド形状を形成することが可能となり、前記右蓋体４３と、左蓋体４４と、外板４２と、表示カバー６３とが違和感なく一体感を持って形成され、外観の見栄えが向上する。
また、右蓋体４３と操作表示部４１を収納する下部蓋体４５と左蓋体４４とが連続して形成しているので、部品組立て時の外れが無くなり作業性の向上をはかれる。また、下部蓋体４５により表示カバー６３を固定するため、部品収納空間を極力小さくすることができ、庫内から部品収納空間への冷却を抑えることができ発汗を防止できる。また、基板収納スペースを有した下部蓋体４５は扉３５の左右の端部まで形成されるので、右開き扉、左開き扉のどちらでも対応が可能となり、外板４２、下部蓋体４５の金型の共用化が図れ、低コスト化が図れる。また、右蓋体４３と下部蓋体４５と左蓋体４４とが連続して形成することにより操作表示部への断熱材封入時の洩れを防止できる。
【００３４】
また、扉３５の外板４２とヒンジ補強板５５とがビスにより固定され、ヒンジ補強板５５に空けられた穴部５５ｂにヒンジピン挿入用筒５５ａを通しているので、ドア荷重時に前記外板４２と、前記右蓋体４３とが剥離すること無く、ドア落下の危険を無くすことが可能となる。
【００３５】
また、表示カバー６３は、ハンドルベース４０ａにより下部蓋体４５に着脱可能に固定しているので、操作基板のサービス交換時に表示カバーを傷付けること無く取り外すことができる。
【００３６】
また、操作ボタン６０での動作を基板５６上の基板ボタン５６ａに伝えるボタン中継部品５８ａを液晶ホルダー５８と一体に成形しているので、構成部品点数を減らし、低コスト化を図れる。
【００３７】
なお、本実施の形態では、冷蔵室扉３５について説明したが、左右両端部に嵌め込まれた蓋体４３、４４は、野菜室３１、切替室３２、冷凍室３３、製氷室３４のそれぞれ左右両端部に上下に一体感を有し、連続して構成することにより、冷蔵庫２９の全体の外観の見栄えを向上することができる。
【００３８】
【発明の効果】
以上説明したように請求項１に記載の発明は、外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記操作表示部と前記左蓋体とが連続して形成することにより、前記表示カバーは左右蓋体の近傍から冷蔵庫中央部に向かってラウンド形状を形成したり、また前記表示カバーは外板の近傍から下端に向かってラウンド形状を有することが可能となり、前記右蓋体と、左蓋体と、外板と、表示カバーとが違和感なく一体感を持って形成され、外観の見栄えが向上する。
【００３９】
また、請求項２に記載の発明は、外板と、内板と、前記外板と前記内板の間に封入した断熱材と、右蓋体と、左蓋体と、下部蓋体と、前記下部蓋体に収納され、冷蔵庫に関する情報を表示する表示部と冷蔵庫に対する制御内容を操作する操作部とを構成する操作表示部とよりなり、前記右蓋体と前記下部蓋体と前記左蓋体とが連続して形成することにより、部品組立て時の外れが無くなり作業性、組立性の向上を図れる。また、下部蓋体により表示カバーを固定するため部品間の隙間を極力小さくすることが可能である。また、右開き扉、左開き扉の外板、下部蓋体の金型の共用化が図れ、低コスト化が可能となる。また、右蓋体と下部蓋体と左蓋体とが連続して形成することにより操作表示部への断熱材封入時の洩れを防止できる。
【００４０】
また、請求項３に記載の発明は、外板と、内板と、前記外板と前記内板の間に封入した断熱材と、左蓋体と、右蓋体と、下部蓋体と、ヒンジピン挿入用筒と、ヒンジ補強板とよりなり、外板とヒンジ補強板とが固定部材により固定され、前記ヒンジ補強板に空けられた穴部に前記ヒンジピン挿入用筒を通したものであり、ドア荷重時に前記外板と、前記右蓋体とが剥離すること無く、ドア落下の危険を無くすことができ、安全性が高まる。
【００４１】
また、請求項４に記載の発明は、請求項１に記載の発明において、操作表示部の表示カバーは、ハンドルを支持するハンドルベースにより下部蓋体に着脱可能に固定したものであり、操作基板のサービス交換時に表示カバーを傷付けること無く取り外すことができる。
【００４２】
また、請求項５に記載の発明は、請求項１または２に記載の発明において、操作部のボタンの動作を中継するボタン中継部品と表示部の液晶パネルを支える液晶ホルダーとを有し、前記ボタン中継部品と前記液晶ホルダーを一体に形成したものであり、構成部品点数の削減が可能となり、低コスト化を図れる。
【００４３】
また、請求項６に記載の発明は、外板と、内板と、前記外板と前記内板の間に封入した断熱材と、左蓋体と、右蓋体と、下部蓋体と、ハンドル取付け補強板よりなり、ハンドル取付け用補強板にヒンジピン挿入用の穴を設け、ヒンジピンを通すことにより下ヒンジの補強機能を持たせたものであり、ハンドル補強板にヒンジ挿入用の穴を空け、ヒンジを通すことによりドア落下防止機能を果たすことが可能となり、安全性を高めることができる。
【図面の簡単な説明】
【図１】本発明の実施の形態１による冷蔵庫の正面斜視図
【図２】同実施の形態の冷蔵庫の分解斜視図
【図３】図１のＣ−Ｃ断面図
【図４】図１のＤ−Ｄ断面図
【図５】同実施の形態の冷蔵庫の操作表示部の裏面斜視分解図
【図６】図１のＥ−Ｅ断面図
【図７】従来の冷蔵庫の正面図
【図８】図７のＡ−Ａ断面図
【図９】従来の操作表示部の分解斜視図
【図１０】図７のＢ−Ｂ断面図
【符号の説明】
２９　冷蔵庫
３５　冷蔵室扉
４０　ハンドル
４０ａ　ハンドルベース
４１　操作表示部
４２　外板
４３　右蓋体
４４　左蓋体
４５　下部蓋体
４６　内板
５３　ハンドル取付け用補強板
５５　上ヒンジ補強板
５５ａ　上ヒンジピン挿入用筒
５５ｂ　上ヒンジピン挿入用穴
５８　液晶ホルダー
５８ａ　ボタン中継部品
６０　操作ボタン
６３　表示カバー
【図１】
2004084988.tif 000003
【図２】
2004084988.tif 000004
【図３】
2004084988.tif 000005
【図４】
2004084988.tif 000006
【図５】
2004084988.tif 000007
【図６】
2004084988.tif 000008
【図７】
2004084988.tif 000009
【図８】
2004084988.tif 000010
【図９】
2004084988.tif 000011
【図１０】
2004084988.tif 000012